(57)【特許請求の範囲】
【請求項１】
熱媒循環用可撓性パイプがその外周面の円周方向の一部を可撓性シートの一方の面に固着されることにより蛇行状に配設されてなる放熱器の該配設パイプ収納用の溝が穿設された暖房用パネルであって、平面長方形状の両短辺を左右に置いた平面において長辺を４等分し短辺を２等分して、左片面左上部、左片面左下部、左片面右上部、左片面右下部、右片面左上部、右片面左下部、右片面右上部、及び右片面右下部に８分割したとき、左片面右下部の下端縁から同じく左片面右下部の下端縁に通じ、その間の左片面を略平行して蛇行状に走る偶数の溝と、右片面左下部の下端縁から同じく右片面左下部の下端縁に通じ、その間の右片面を略平行して蛇行状に走る偶数の溝とが穿設された第１パネルと、左片面左上部の上端縁から左片面右下部の下端縁に通じ、その間の左片面を略平行して蛇行状に走る偶数の溝と、右片面右上部の上端縁から右片面左下部の下端縁に通じ、その間の右片面を略平行して蛇行状に走る偶数の溝とが穿設された第２パネルの２種のパネルを組み合わせて構成されてなることを特徴とする暖房用パネル。
【請求項２】
暖房用パネルが床暖房用パネルである請求項１に記載の暖房用パネル。
【請求項３】
床暖房用パネルが床仕上げ材である請求項２に記載の暖房用パネル。
【発明の詳細な説明】
【０００１】
【発明の属する技術分野】
本発明は、温水等の熱媒循環による暖房構造の形成に用いられ、敷設作業が容易な暖房用パネルに関する。
【０００２】
【従来の技術】
従来より、温水等の熱媒循環による、例えば床暖房構造としては、上面に熱媒循環用可撓性パイプの収納用溝を蛇行状に穿設した発泡樹脂製或いは木製等の板状体の該パイプ収納用溝に、熱媒循環用可撓性パイプを収納し、その上をアルミニウム箔等の放熱材としての可撓性シートで被覆し、該シートを板状体の非溝部に貼着してなる床暖房パネルを、床下地材、或いは既設の床仕上げ材上に敷設し、その上に床仕上げ材を敷設した構造のものが多用されている。
【０００３】
しかしながら、従来の前記床暖房パネルは、嵩高く、又、重量もあって、それに伴う取扱作業性や施工性等に劣り、更に、発泡樹脂製或いは木製等の板状体のパイプ収納用溝に収納された熱媒循環用可撓性パイプが放熱材としての可撓性シートに固着、一体化されてはいないことから、パイプと可撓性シートとの間に空間が生じて、放熱効率が必ずしも優れているとは言えず、床暖房機能を十分に発現し得ないという欠点があった。
【０００４】
これに対して、本願出願人は、熱媒循環用可撓性パイプがその外周面の円周方向の一部を可撓性シートの一方の面に固着されることにより蛇行状に配設されてなる放熱器、が前記欠点を解消できることを発明して、先に特許出願し（特願２０００−２９８８９０号）、引き続いて、その放熱器の配設パイプの収納用溝を穿設した暖房パネルとの組み合わせによる敷設作業性等について検討中であった。
【０００５】
【発明が解決しようとする課題】
本発明は、前述の従来技術に鑑みてなされたもので、従って、本発明は、熱媒循環用可撓性パイプがその外周面の円周方向の一部を可撓性シートの一方の面に固着されることにより蛇行状に配設されてなる放熱器を用いて暖房構造を形成するにおいて、該配設パイプ収納用の溝が穿設された暖房用パネルであって、敷設作業が容易な暖房用パネルを提供することを目的とする。
【０００６】
【課題を解決するための手段】
本発明は、熱媒循環用可撓性パイプがその外周面の円周方向の一部を可撓性シートの一方の面に固着されることにより蛇行状に配設されてなる放熱器の該配設パイプ収納用の溝が穿設された暖房用パネルであって、平面長方形状の両短辺を左右に置いた平面において長辺を４等分し短辺を２等分して、左片面左上部、左片面左下部、左片面右上部、左片面右下部、右片面左上部、右片面左下部、右片面右上部、及び右片面右下部に８分割したとき、左片面右下部の下端縁から同じく左片面右下部の下端縁に通じ、その間の左片面を略平行して蛇行状に走る偶数の溝と、右片面左下部の下端縁から同じく右片面左下部の下端縁に通じ、その間の右片面を略平行して蛇行状に走る偶数の溝とが穿設された第１パネルと、左片面左上部の上端縁から左片面右下部の下端縁に通じ、その間の左片面を略平行して蛇行状に走る偶数の溝と、右片面右上部の上端縁から右片面左下部の下端縁に通じ、その間の右片面を略平行して蛇行状に走る偶数の溝とが穿設された第２パネルの２種のパネルを組み合わせて構成されてなる暖房用パネル、を要旨とする。
【０００７】
【発明の実施の形態】
本発明の暖房用パネルを図面に基づいて説明すると、図１（ａ）は本発明の暖房用パネルを構成する第１パネルの一実施例を示す裏面平面図、図１（ｂ）は本発明の暖房用パネルを構成する第２パネルの一実施例を示す裏面平面図、図２は図１の第１パネルと第２パネルを組み合わせて構成された暖房用パネルの一実施例を示す裏面平面図、図３は図２の暖房用パネルに組み合わせて用いられる放熱器の平面図、図４は本発明の暖房用パネルを用いて放熱器と組み合わせて床暖房構造を形成したときの一実施例を示す部分拡大断面図であり、１は暖房用パネル、１Ａは第１パネル、１ａは第１パネルにおける放熱器の配設パイプ収納用溝、１Ｂは第２パネル、１ｂは第２パネルにおける放熱器の配設パイプ収納用溝、２は放熱器、２ａは熱媒循環用可撓性パイプ、２ｂは可撓性シート、３は床材である。
【０００８】
本発明の暖房用パネル１に組み合わせて用いられる放熱器２は、図３に示されるように、平面形状は、通常、長方形状、正方形状等の矩形状であり、熱媒循環用可撓性パイプ２ａが可撓性シート２ｂの一方の面に、放熱器２の図面上の左片面側と右片面側とに分けて、それぞれに少なくとも１系列を往復させた熱媒循環用パイプ１ａが蛇行状に配設されてなり、図３には、左片面側と右片面側とにそれぞれ２系列を往復させた例が示されている。
【０００９】
ここで、熱媒循環用可撓性パイプ２ａとしては、例えば、ポリエチレン、ポリブテン、ポリプロピレン等、或いはそれらの架橋体等の樹脂製であって、通常、外径が５〜３０ｍｍ程度、内径が３〜２０ｍｍ程度であり、そのパイプ内を循環させる熱媒としては、例えば、温水、水蒸気、オイル等が用いられる。
【００１０】
又、可撓性シート２ｂとしては、例えば、アルミニウム箔、錫箔、銅箔、ステンレス鋼箔等の金属箔、金属繊維製或いは合成樹脂繊維製或いは天然繊維製等の織布や不織布、合成樹脂シート、及び、これらの積層体等が用いられ得るが、中で、高熱伝動率を有することによって放熱材としての機能を効率的に発現し得る面から、金属箔、又は金属繊維製の織布、不織布が好ましく、アルミニウム箔が特に好ましい。尚、これらの可撓性シートの厚みは、通常、１０〜５００μｍ程度とするのが好ましい。
【００１１】
この放熱器２の熱媒循環用可撓性パイプ２ａは、図４に示されるように、その外周面の円周方向の一部が、可撓性シート２ｂの一方の面に、例えば接着剤、粘着テープ等によって固着されており、その固着の幅は、外周面の全円周に対して１／８〜１／３の範囲とするのが好ましく、１／６〜１／４の範囲とするのが特に好ましい。又、その固着は、熱媒循環用可撓性パイプ２ａの長手方向に連続させるのが好ましいが、長手方向に不連続であってもよい。
【００１２】
尚、この放熱器２は、軽量で敷設が簡便であり、住宅等の床暖房はもとより、壁暖房、天井暖房等にも用いることができ、又、被暖房空間に対して可撓性シート側を内側としても外側としても用いることができる。
【００１３】
そして、本発明の暖房用パネル１は、この放熱器２と組み合わせて暖房構造を形成するにおいて、放熱器２の配設パイプ２ａ収納用の溝が穿設された、同一寸法の第１パネル１Ａと第２パネル１Ｂの２種のパネルを組み合わせて構成されてなる。
【００１４】
その第１パネル１Ａは、図１（ａ）に示されるように、平面長方形状の両短辺を左右に置いた平面において長辺を４等分し短辺を２等分して、左片面左上部１Ａａ、左片面左下部１Ａｂ、左片面右上部１Ａｃ、左片面右下部１Ａｄ、右片面左上部１Ａｅ、右片面左下部１Ａｆ、右片面右上部１Ａｇ、及び右片面右下部１Ａｈに８分割したとき、左片面右下部１Ａｄの下端縁１Ａｊから同じく左片面右下部１Ａｄの下端縁１Ａｊに通じ、その間の左片面を略平行して蛇行状に走る偶数の溝１ａと、右片面左下部１Ａｆの下端縁１Ａｊから同じく右片面左下部１Ａｆの下端縁１Ａｊに通じ、その間の右片面を略平行して蛇行状に走る偶数の溝１ａとが穿設されており、図１（ａ）には、左片面と右片面とにそれぞれ４本の溝が穿設された例が示されている。
【００１５】
又、その第２パネル１Ｂは、図１（ｂ）に示されるように、平面長方形状の両短辺を左右に置いた平面において長辺を４等分し短辺を２等分して、左片面左上部１Ｂａ、左片面左下部１Ｂｂ、左片面右上部１Ｂｃ、左片面右下部１Ｂｄ、右片面左上部１Ｂｅ、右片面左下部１Ｂｆ、右片面右上部１Ｂｇ、及び右片面右下部１Ｂｈに８分割したとき、左片面左上部１Ｂａの上端縁１Ｂｉから左片面右下部１Ｂｄの下端縁１Ｂｊに通じ、その間の左片面を略平行して蛇行状に走る偶数の溝１ｂであって、その溝１ｂ端部の位置を上端縁１Ｂｉにおいては前記第１パネル１Ａの右片面左下部１Ａｆの下端縁１Ａｊにおける位置と一致させ、下端縁１Ｂｊにおいては前記第１パネル１Ａの左片面右下部１Ａｄの下端縁１Ａｊにおける位置と一致させた溝１ｂと、右片面右上部１Ｂｇの上端縁１Ｂｉから右片面左下部１Ｂｆの下端縁１Ｂｊに通じ、その間の右片面を略平行して蛇行状に走る偶数の溝１ｂであって、その溝１ｂ端部の位置を上端縁１Ｂｉにおいては前記第１パネル１Ａの左片面右下部１Ａｄの下端縁１Ａｊにおける位置と一致させ、下端縁１Ｂｊにおいては前記第１パネル１Ａの右片面左下部１Ａｆの下端縁１Ａｊにおける位置と一致させた溝１ｂとが穿設されており、図１（ｂ）には、左片面と右片面とにそれぞれ４本の溝が穿設された例が示されている。
【００１６】
そして、図２に示されるように、敷設された第１パネル１Ａの左片面右下部１Ａｄの下端縁１Ａｊから同じく左片面右下部１Ａｄの下端縁１Ａｊに通じる溝１ａ端部に、第２パネル１Ｂをその右片面右上部１Ｂｇの上端縁１Ｂｉから右片面左下部１Ｂｆの下端縁１Ｂｊに通じる溝１ｂの右片面右上部１Ｂｇの上端縁１Ｂｉの溝１ｂ端部を合致させて敷設すると共に、敷設された第１パネル１Ａの右片面左下部１Ａｆの下端縁１Ａｊから同じく右片面左下部１Ａｆの下端縁１Ａｊに通じる溝１ａ端部に、別の第２パネル１Ｂをその左片面左上部１Ｂａの上端縁１Ｂｉから左片面右下部１Ｂｄの下端縁１Ｂｊに通じる溝１ｂの左片面左上部１Ｂａの上端縁１Ｂｉの溝１ｂ端部を合致させて並列に敷設する。
【００１７】
続いて、敷設された第２パネル１Ｂの右片面左下部１Ｂｆの下端縁１Ｂｊの溝１ｂ端部、及び別に敷設された第２パネル１Ｂの左片面右下部１Ｂｄの下端縁１Ｂｊの溝１ｂ端部に、第２パネルをその左片面左上部１Ｂａの上端縁１Ｂｉから左片面右下部１Ｂｄの下端縁１Ｂｊに通じる溝１ｂの左片面左上部１Ｂａの上端縁１Ｂｉの溝１ｂ端部、及び右片面右上部１Ｂｇの上端縁１Ｂｉから右片面左下部１Ｂｆの下端縁１Ｂｊに通じる溝１ｂの右片面右上部１Ｂｇの上端縁１Ｂｉの溝１ｂ端部をそれぞれ合致させて敷設し、続いて同様の敷設を繰り返し、最終的には、第２パネル１Ｂを、その左片面左上部１Ｂａの上端縁１Ｂｉから左片面右下部１Ｂｄの下端縁１Ｂｊに通じる溝１ｂと、右片面右上部１Ｂｇの上端縁１Ｂｉから右片面左下部１Ｂｆの下端縁１Ｂｊに通じる溝１ｂとを開口させ、本発明の暖房用パネルが構成される。
【００１８】
そして、図２において、図面上中央部の第１パネル１Ａと第２パネル１Ｂが敷設された箇所に前記放熱器２が敷設されることにより、本発明の暖房用パネル１と、前記放熱器２とが組み合わされて暖房構造が形成されることとなり、図面上左側の第２パネル１Ｂの左片面が交互に突出した箇所、及び、図面上右側の第２パネル１Ｂの右片面が交互に突出した箇所には放熱器２は敷設されず、又、第１パネル１Ａ及び第２パネル１Ｂ共に敷設されていない箇所にはダミー材が敷設されて、共に、非暖房領域とされる。
【００１９】
以上のように、本発明の暖房用パネル１は、第１パネル１Ａと第２パネル１Ｂの２種のパネルを組み合わせて構成されてなるので、敷設作業が容易であり、更に、被暖房面積に応じた敷設が可能であると共に、パネル自体の種類が少ないことから、少品種大量生産に適し、製品管理も容易である。
【００２０】
そして、本発明のこの暖房用パネル１は、前述したように、前記放熱器２が住宅等の床暖房、壁暖房、天井暖房等に用いることができ、又、被暖房空間に対して可撓性シート２ｂ側を内側としても外側としても用いることができることに応じて、例えば、床暖房構造を形成する場合には、本発明の暖房用パネル１として表面に前述した溝１ａ及び１ｂが穿設された床下地材が敷設され、その上に、前記放熱器２が被暖房空間に対して可撓性シート２ｂ側を内側として、暖房用パネル１の溝１ａ及び１ｂに放熱器２の配設パイプ２ａを収納して敷設されることにより床暖房構造が形成され、或いは、前記放熱器２が被暖房空間に対して可撓性シート２ｂ側を外側として敷設され、その上に、本発明の暖房用パネル１として裏面に前述した溝１ａ及び１ｂが穿設された床仕上げ材が、その溝１ａ及び１ｂに放熱器２の配設パイプ２ａを収納して敷設されることにより床暖房構造が形成される。又、同様に、壁暖房構造を形成する場合には、本発明の暖房用パネル１は、壁下地材の表面又は壁仕上げ材の裏面に前述した溝１ａ及び１ｂが穿設されたものであり、又、天井暖房構造を形成する場合には、天井下地材の表面又は天井仕上げ材の裏面に前述した溝１ａ及び１ｂが穿設されたものである。
【００２１】
以上の放熱器２と本発明の暖房用パネル１との組み合わせによる暖房構造の形成において、本発明においては、暖房用パネル１が床暖房用パネルである床暖房構造の形成に好適であり、且つ、被暖房空間に対して可撓性シートを外側とした床暖房構造の形成に好適であり、従って、本発明の暖房用パネル１としては、床仕上げ材の裏面に前記溝１ａが穿設された第１パネル１Ａと、床仕上げ材の裏面に前記溝１ｂが穿設された第２パネル１Ｂから構成されるのが好ましい。
【００２２】
図４が、その床暖房構造の一実施例を示す部分拡大断面図であり、床材（新設の場合は床下地材、既設の場合は床仕上げ材）３上に、放熱器２がその熱媒循環用パイプ２ａを被暖房空間に対して内側にし、その可撓性シート２ｂを被暖房空間に対して外側にして敷設され、その上に、裏面に配設パイプ収納用の溝１ａ及び１ｂが穿設された床仕上げ材からなる本発明の暖房用パネル１が、放熱器２の配設パイプ２ａをその溝１ａ及び１ｂに収納して敷設されることにより形成されている。
【００２３】
ここで、暖房用パネル１を構成する床仕上げ材としては、例えば、代表的には、フローリング材等が挙げられ、その厚みは、通常、８〜１５ｍｍ程度とされ、又、裏面に穿設された放熱器２の配設パイプ２ａ収納用溝１ａ及び１ｂの形状は、断面略Ｕ字形状、断面略コ字形状等、特に限定されるものではないが、深さが収納する配設パイプ２ａの外径の１．０５〜１．９５倍の断面略Ｕ字形状であるのが、温度分布をなくす面から好ましい。
【００２４】
又、その深さの範囲内で、放熱器２における配設パイプ２ａの熱媒導入口に対応する深さを深くし、熱媒排出口に対応する深さを浅くすることにより、導入・排出口近辺における温度分布を更に抑えることができる。尚、床仕上げ材としての強度の面から、溝底における床仕上げ材の厚みが３ｍｍ以上であるのが好ましい。
【００２５】
【発明の効果】
本発明によれば、熱媒循環用可撓性パイプがその外周面の円周方向の一部を可撓性シートの一方の面に固着されることにより蛇行状に配設されてなる放熱器を用いて暖房構造を形成するにおいて、該配設パイプ収納用の溝が穿設された暖房用パネルであって、敷設作業が容易な暖房用パネルを提供することができる。更に、本発明の暖房用パネルは、被暖房面積に応じた敷設が可能であると共に、パネル自体の種類が少ないことから、少品種大量生産に適し、製品管理も容易である。
【図面の簡単な説明】
【図１】（ａ）は本発明の暖房用パネルを構成する第１パネルの一実施例を示す裏面平面図、（ｂ）は本発明の暖房用パネルを構成する第２パネルの一実施例を示す裏面平面図である。
【図２】図１の第１パネルと第２パネルを組み合わせて構成された暖房用パネルの一実施例を示す裏面平面図である。
【図３】図２の暖房用パネルに組み合わせて用いられる放熱器の平面図である。
【図４】本発明の暖房用パネルを用いて放熱器と組み合わせて床暖房構造を形成したときの一実施例を示す部分拡大断面図である。
【符号の説明】
１；暖房用パネル
１Ａ；第１パネル
１Ｂ；第２パネル
１Ａａ，１Ｂａ；左片面左上部
１Ａｂ，１Ｂｂ；左片面左下部
１Ａｃ，１Ｂｃ；左片面右上部
１Ａｄ，１Ｂｄ；左片面右下部
１Ａｅ，１Ｂｅ；右片面左上部
１Ａｆ，１Ｂｆ；右片面左下部
１Ａｇ，１Ｂｇ；右片面右上部
１Ａｈ，１Ｂｈ；右片面右下部
１Ｂｉ；上端縁
１Ａｊ，１Ｂｊ；下端縁
１ａ，１ｂ；放熱器の配設パイプ収納用溝
２；放熱器
２ａ；熱媒循環用可撓性パイプ
２ｂ；可撓性シート
３；床材
【図１】
0004593033.tif 000002
【図２】
0004593033.tif 000003
【図３】
0004593033.tif 000004
【図４】
0004593033.tif 000005